(57)【要約】【課題】  容易にサイズ表示部を印刷することができるハンガー用サイズ表示具を提供する。【解決手段】  ３枚以上の表示片部４がヒンジ部５を介して細長矩形型に連設されている。一端６側の表示片部４が雄係止部２を有する。他端７側の表示片部４が雄係止部２と係脱自在な雌係止部３を有する。表示片部４が外面８に平坦面９を有する。平坦面９にサイズ表示部が印刷されている。表示片部４の上辺16に上壁片部17が突設されている。上壁片部17がハンガーのフックへの揺動規制用小凹部18を有する。【選択図】  図２
2006330096.tif 000002
【特許請求の範囲】
【請求項１】
３枚以上の表示片部（４）がヒンジ部（５）を介して細長矩形型に連設され、一端（６）側の上記表示片部（４）が雄係止部（２）を有するとともに、他端（７）側の上記表示片部（４）が上記雄係止部（２）と係脱自在な雌係止部（３）を有し、上記表示片部（４）が外面（８）に平坦面（９）を有し、該平坦面（９）にサイズ表示部（１）が印刷されていることを特徴とするハンガー用サイズ表示具。
【請求項２】
雄係止部（２）が肉厚部（10）を有し、雌係止部（３）が該肉厚部（10）に対応する位置に、該雌係止部（３）の孔（12）の内方へ突出する突出片（14）を有し、上記肉厚部（10）と上記突出片（14）を弾発的に係止可能とするとともに、上記雌係止部（３）の孔（12）は、上記突出片（14）に隣接する幅広孔部（15）を有し、上記雄係止部（２）の肉厚部（10）を上記雌係止部（３）の幅広孔部（15）にスライドさせて上記雌係止部（３）から離脱可能に構成した請求項１記載のハンガー用サイズ表示具。
【請求項３】
雄係止部（２）が上下に隣合う肉厚部（10）と肉薄部（11）を有し、雌係止部（３）が、上記肉厚部（10）に対応する位置に、該雌係止部（３）の孔（12）の内方へ突出するとともに幅狭孔部（13）を形成する突出片（14）を有し、かつ、上記肉薄部（11）に対応する位置に幅広孔部（15）を有し、上記肉厚部（10）と上記突出片（14）が弾発的に係止可能となるように上記肉厚部（10）の厚さ寸法（ｔ）を上記幅狭孔部（13）の孔幅（ｗ）よりも大きく設定し、
上記雄係止部（２）と上記雌係止部（３）との係合状態に於て、上記雄係止部（２）が上下方向にスライド可能となるような逃げ用孔部（21）を上記雄係止部（２）と上記雌係止部（３）の間に形成し、
上記雄係止部（２）の肉厚部（10）が上記雌係止部（３）の幅広孔部（15）に対応するとともに、上記雄係止部（２）の肉薄部（11）が上記雌係止部（３）の幅狭孔部（13）と対応するように、上記雄係止部（２）を上記係合状態から上下方向にスライドさせて上記雌係止部（３）から離脱可能となるように、構成した請求項１記載のハンガー用サイズ表示具。
【請求項４】
表示片部（４）の上辺（16）に上壁片部（17）が突設され、該上壁片部（17）がハンガー（Ｙ）のフック（Ｈ）への揺動規制用小凹部（18）を有する請求項１，２又は３記載のハンガー用サイズ表示具。
【請求項５】
上記上壁片部（17）の形状が、扇形（Ｖ1 ）に上記表示片部（４）の上辺（16）から成る弦（Ｇ1 ）を張り、上記扇形（Ｖ1 ）の円弧（Ｅ1 ）と上記弦（Ｇ1 ）によって囲まれた部分（Ｂ1 ）を切除するとともに、上記扇形（Ｖ1 ）の中心角（θ1 ）を形成する頂点部（Ｑ1 ）に揺動規制用小凹部（18）を凹設した形状と略等しく、上記表示片部（４）の枚数をＮ枚とすると、上記中心角（θ1 ）を 360°／Ｎ≦θ1 ≦ 400°／Ｎに設定した請求項４記載のハンガー用サイズ表示具。
【請求項６】
上記上壁片部（17）が上記表示片部（４）の上辺（16）を底辺（Ｌ1 ）とする略二等辺三角形（Ｊ1 ）に形成されており、該二等辺三角形（Ｊ1 ）の２本の斜辺（Ｍ1 ）によって形成される頂点部（Ｐ1 ）に揺動規制用小凹部（18）が凹設されており、上記表示片部（４）の枚数をＮ枚とすると、上記二等辺三角形（Ｊ1 ）の頂角（α1 ）を 360°／Ｎ≦α1 ≦ 400°／Ｎに設定した請求項４記載のハンガー用サイズ表示具。
【請求項７】
表示片部（４）の上辺（16）に上壁片部（17）が突設され、該上壁片部（17）がハンガー（Ｙ）のフック（Ｈ）への揺動規制用小凹部（18）を有し、
表示片部（４）の下辺（22）に下壁片部（23）が突設され、該下壁片部（23）がハンガー（Ｙ）のフック（Ｈ）への揺動規制用小凹部（24）を有する請求項１，２又は３記載のハンガー用サイズ表示具。
【請求項８】
上記上壁片部（17）の形状が、扇形（Ｖ1 ）に上記表示片部（４）の上辺（16）から成る弦（Ｇ1 ）を張り、上記扇形（Ｖ1 ）の円弧（Ｅ1 ）と上記弦（Ｇ1 ）によって囲まれた部分（Ｂ1 ）を切除するとともに、上記扇形（Ｖ1 ）の中心角（θ1 ）を形成する頂点部（Ｑ1 ）に揺動規制用小凹部（18）を凹設した形状と略等しく、上記表示片部（４）の枚数をＮ枚とすると、上記中心角（θ1 ）を 360°／Ｎ≦θ1 ≦ 400°／Ｎに設定し、
上記下壁片部（23）の形状が、扇形（Ｖ2 ）に上記表示片部（４）の下辺（22）から成る弦（Ｇ2 ）を張り、上記扇形（Ｖ2 ）の円弧（Ｅ2 ）と上記弦（Ｇ2 ）によって囲まれた部分（Ｂ2 ）を切除するとともに、上記扇形（Ｖ2 ）の中心角（θ2 ）を形成する頂点部（Ｑ2 ）に揺動規制用小凹部（24）を凹設した形状と略等しく、上記表示片部（４）の枚数をＮ枚とすると、上記中心角（θ2 ）を 360°／Ｎ≦θ2 ≦ 400°／Ｎに設定した請求項７記載のハンガー用サイズ表示具。
【請求項９】
上記上壁片部（17）が上記表示片部（４）の上辺（16）を底辺（Ｌ1 ）とする略二等辺三角形（Ｊ1 ）に形成されており、該二等辺三角形（Ｊ1 ）の２本の斜辺（Ｍ1 ）によって形成される頂点部（Ｐ1 ）に揺動規制用小凹部（18）が凹設されており、上記表示片部（４）の枚数をＮ枚とすると、上記二等辺三角形（Ｊ1 ）の頂角（α1 ）を 360°／Ｎ≦α1 ≦ 400°／Ｎに設定し、
上記下壁片部（23）が上記表示片部（４）の下辺（22）を底辺（Ｌ2 ）とする略二等辺三角形（Ｊ2 ）に形成されており、該二等辺三角形（Ｊ2 ）の２本の斜辺（Ｍ2 ）によって形成される頂点部（Ｐ2 ）に揺動規制用小凹部（24）が凹設されており、上記表示片部（４）の枚数をＮ枚とすると、上記二等辺三角形（Ｊ2 ）の頂角（α2 ）を 360°／Ｎ≦α2 ≦ 400°／Ｎに設定した請求項７記載のハンガー用サイズ表示具。
【請求項１０】
３枚以上の表示片部（４）がヒンジ部（５）を介して細長矩形型に連設され、一端（６）側の上記表示片部（４）が雄係止部（２）を有するとともに、他端（７）側の上記表示片部（４）が雌係止部（３）を有し、上記表示片部（４）が外面（８）に平坦面（９）を有する製品部（19）を、シート状に複数個配設した中間製品体（20）を、射出成形にて製造し、
次に、上記平坦面（９）にサイズ表示部（１）を印刷し、
その後、各製品部（19）を切離したことを特徴とするハンガー用サイズ表示具の製法。
【発明の詳細な説明】
【技術分野】
【０００１】
本発明は、ハンガー用サイズ表示具及びその製法に関する。
【背景技術】
【０００２】
一般に、ハンガー用サイズ表示具は、サイズ表示部が曲面に印刷されている（例えば、特許文献１参照）。
【０００３】
しかし、サイズ表示部を曲面に印刷するのは困難だという欠点があった。
【特許文献１】特開平８−１４０８１６号公報
【発明の開示】
【発明が解決しようとする課題】
【０００４】
解決しようとする課題は、容易にサイズ表示部を印刷することができない点である。
【課題を解決するための手段】
【０００５】
そこで、本発明に係るハンガー用サイズ表示具は、３枚以上の表示片部がヒンジ部を介して細長矩形型に連設され、一端側の上記表示片部が雄係止部を有するとともに、他端側の上記表示片部が上記雄係止部と係脱自在な雌係止部を有し、上記表示片部が外面に平坦面を有し、該平坦面にサイズ表示部が印刷されているものである。
また、雄係止部が肉厚部を有し、雌係止部が該肉厚部に対応する位置に、該雌係止部の孔の内方へ突出する突出片を有し、上記肉厚部と上記突出片を弾発的に係止可能とするとともに、上記雌係止部の孔は、上記突出片に隣接する幅広孔部を有し、上記雄係止部の肉厚部を上記雌係止部の幅広孔部にスライドさせて上記雌係止部から離脱可能に構成したものである。
【０００６】
また、雄係止部が上下に隣合う肉厚部と肉薄部を有し、雌係止部が、上記肉厚部に対応する位置に、該雌係止部の孔の内方へ突出するとともに幅狭孔部を形成する突出片を有し、かつ、上記肉薄部に対応する位置に幅広孔部を有し、上記肉厚部と上記突出片が弾発的に係止可能となるように上記肉厚部の厚さ寸法を上記幅狭孔部の孔幅よりも大きく設定し、上記雄係止部と上記雌係止部との係合状態に於て、上記雄係止部が上下方向にスライド可能となるような逃げ用孔部を上記雄係止部と上記雌係止部の間に形成し、上記雄係止部の肉厚部が上記雌係止部の幅広孔部に対応するとともに、上記雄係止部の肉薄部が上記雌係止部の幅狭孔部と対応するように、上記雄係止部を上記係合状態から上下方向にスライドさせて上記雌係止部から離脱可能となるように、構成したものである。
【０００７】
また、表示片部の上辺に上壁片部が突設され、該上壁片部がハンガーのフックへの揺動規制用小凹部を有するものである。
また、上記上壁片部の形状が、扇形に上記表示片部の上辺から成る弦を張り、上記扇形の円弧と上記弦によって囲まれた部分を切除するとともに、上記扇形の中心角θ1 を形成する頂点部に揺動規制用小凹部を凹設した形状と略等しく、上記表示片部の枚数をＮ枚とすると、上記中心角θ1 を 360°／Ｎ≦θ1 ≦ 400°／Ｎに設定したものである。
また、上記上壁片部が上記表示片部の上辺を底辺とする略二等辺三角形に形成されており、該二等辺三角形の２本の斜辺によって形成される頂点部に揺動規制用小凹部が凹設されており、上記表示片部の枚数をＮ枚とすると、上記二等辺三角形の頂角α1 を 360°／Ｎ≦α1 ≦ 400°／Ｎに設定したものである。
【０００８】
また、表示片部の上辺に上壁片部が突設され、該上壁片部がハンガーのフックへの揺動規制用小凹部を有し、表示片部の下辺に下壁片部が突設され、該下壁片部がハンガーのフックへの揺動規制用小凹部を有するものである。
また、上記上壁片部の形状が、扇形に上記表示片部の上辺から成る弦を張り、上記扇形の円弧と上記弦によって囲まれた部分を切除するとともに、上記扇形の中心角θ1 を形成する頂点部に揺動規制用小凹部を凹設した形状と略等しく、上記表示片部の枚数をＮ枚とすると、上記中心角θ1 を 360°／Ｎ≦θ1 ≦ 400°／Ｎに設定し、上記下壁片部の形状が、扇形に上記表示片部の下辺から成る弦を張り、上記扇形の円弧と上記弦によって囲まれた部分を切除するとともに、上記扇形の中心角θ2 を形成する頂点部に揺動規制用小凹部を凹設した形状と略等しく、上記表示片部の枚数をＮ枚とすると、上記中心角θ2 を 360°／Ｎ≦θ2 ≦ 400°／Ｎに設定したものである。
また、上記上壁片部が上記表示片部の上辺を底辺とする略二等辺三角形に形成されており、該二等辺三角形の２本の斜辺によって形成される頂点部に揺動規制用小凹部が凹設されており、上記表示片部の枚数をＮ枚とすると、上記二等辺三角形の頂角α1 を 360°／Ｎ≦α1 ≦ 400°／Ｎに設定し、上記下壁片部が上記表示片部の下辺を底辺とする略二等辺三角形に形成されており、該二等辺三角形の２本の斜辺によって形成される頂点部に揺動規制用小凹部が凹設されており、上記表示片部の枚数をＮ枚とすると、上記二等辺三角形の頂角α2 を 360°／Ｎ≦α2 ≦ 400°／Ｎに設定したものである。
【０００９】
また、本発明に係るハンガー用サイズ表示具の製法は、３枚以上の表示片部がヒンジ部を介して細長矩形型に連設され、一端側の上記表示片部が雄係止部を有するとともに、他端側の上記表示片部が雌係止部を有し、上記表示片部が外面に平坦面を有する製品部を、シート状に複数個配設した中間製品体を、射出成形にて製造し、次に、上記平坦面にサイズ表示部を印刷し、その後、各製品部を切離した方法である。
【発明の効果】
【００１０】
本発明のハンガー用サイズ表示具によれば、容易にサイズ表示部を印刷することができる。また、本発明のハンガー用サイズ表示具の製法によれば、一度にシルクスクリーン印刷等によってサイズ表示部を印刷することができ、能率良くハンガー用サイズ表示具を製造することができる。
【発明を実施するための最良の形態】
【００１１】
図１は、本発明の第１の実施の形態の使用状態を示す。このハンガー用サイズ表示具（サイズチップ）Ｓは、プラスチック樹脂から成り、ハンガーＹのフックＨの付根Ｔに取付けられて、ハンガーＹに掛けられる衣服（図示省略）のサイズを、文字・図形・記号等から成るサイズ表示部１によって表示する。図１では、サイズ表示部１が「Ｍ」の文字から成り、このハンガーＹにＭサイズの衣服が掛けられていることを表示する。
【００１２】
図２は図１のＡ−Ａ断面平面図を示す。後述の雄係止部２と雌係止部３が係止することにより、サイズ表示具Ｓが立体的にハンガーＹのフックＨの付根Ｔに巻付状に取付けられている。図３は雄係止部２と雌係止部３を離脱させた状態を示す。このように雄係止部２と雌係止部３を係脱させることにより、サイズ表示具ＳをフックＨに着脱させることができる（詳細については後述する）。
【００１３】
具体的には、図４〜図６に示すように、３枚以上の表示片部４がヒンジ部５を介して細長矩形型に連設されている。一端６側の表示片部４が雄係止部２を有するとともに、他端７側の表示片部４が雄係止部２と係脱自在な雌係止部３を有する。表示片部４が外面８に平坦面９を有する。平坦面９にサイズ表示部１が印刷されている。
【００１４】
雄係止部２は上下に隣合う肉厚部10と肉薄部11を有する。雌係止部３は、肉厚部10に対応する位置に、雌係止部３の孔12の内方へ突出するとともに幅狭孔部13を形成する突出片14を有し、かつ、肉薄部11に対応する位置に幅広孔部15を有する。肉厚部10と突出片14が弾発的に係止可能となるように肉厚部10の厚さ寸法ｔは幅狭孔部13の孔幅ｗよりも大きく設定されている。
【００１５】
図７は図２の矢印Ｘ方向から見た状態を示し、図８はその要部拡大図を示す。この雄係止部２と雌係止部３との係合状態に於て、雄係止部２が上方向にスライド可能となるような逃げ用孔部21が雄係止部２と雌係止部３の間に形成されている。
【００１６】
図９に示すように、雄係止部２の肉厚部10が雌係止部３の幅広孔部15に対応するとともに、雄係止部２の肉薄部11が雌係止部３の幅狭孔部13と対応するように、雄係止部２が係合状態（図８の状態）から上方向にスライドされて雌係止部３から離脱可能となるように、構成されている。具体的には、肉厚部10の上下寸法ｈ1 が、雄係止部２と雌係止部３の係合状態に於て肉厚部10に対応する突出片14のスライド方向側（上側）に隣接する幅広孔部15の上下寸法ｈ2 よりも小さく設定されている。
【００１７】
図４・図５に戻って、表示片部４の上辺16に上壁片部17が突設されている。上壁片部17はハンガーＹ（図１参照）のフックＨへの円弧状揺動規制用小凹部18を有する。具体的には、上壁片部17の平面視形状は、扇形Ｖ1 に表示片部４の上辺16から成る弦Ｇ1 を張り、扇形Ｖ1 の円弧Ｅ1 と弦Ｇ1 によって囲まれた部分Ｂ1 を切除するとともに、扇形Ｖ1 の中心角θ1 を形成する頂点部Ｑ1 に揺動規制用小凹部18を凹設した形状と略等しい。表示片部４の枚数をＮ枚とすると、中心角θ1 は 360°／Ｎ≦θ1 ≦ 400°／Ｎに設定されている。なお、本発明に於て、「略等しい」とは、等しい場合を含むものとする。
【００１８】
中心角θ1 が、θ1 ＜ 360°／Ｎの場合、ハンガーＹのフックＨに取付けた状態に於て、雄係止部２と雌係止部３の係合部分が大きくなり、外観が悪くなる虞れがある。また、上記係合部分の方向からは、サイズ表示部１を読取りにくくなる虞れがある。また、中心角θ1 が、 400°／Ｎ＜θ1 の場合、ハンガーＹのフックＨに取付けた状態に於て、隣合う上壁片部17の間に大きな隙間が形成されるとともに、全ての揺動規制用小凹部18によって形成されるフック挿通部が大きくなり、サイズ表示具が揺動しやすくなる虞れがある。
【００１９】
図10は、第２の実施の形態を示す。上壁片部17が表示片部４の上辺16を底辺Ｌ1 とする略二等辺三角形Ｊ1 に形成されている。そして、二等辺三角形Ｊ1 の２本の斜辺Ｍ1 によって形成される頂点部Ｐ1 に揺動規制用小凹部18が凹設されている。表示片部４の枚数をＮ枚とすると、二等辺三角形Ｊ1 の頂角α1 が 360°／Ｎ≦α1 ≦ 400°／Ｎに設定されている。
【００２０】
頂角α1 が、α1 ＜ 360°／Ｎの場合、ハンガーＹのフックＨに取付けた状態に於て、雄係止部２と雌係止部３の係合部分が大きくなり、外観が悪くなる虞れがある。また、上記係合部分の方向からは、サイズ表示部１を読取りにくくなる虞れがある。また、頂角α1 が、 400°／Ｎ＜α1 の場合、ハンガーＹのフックＨに取付けた状態に於て、隣合う上壁片部17の間に大きな隙間が形成されるとともに、全ての揺動規制用小凹部18によって形成されるフック挿通部が大きくなり、サイズ表示具が揺動しやすくなる虞れがある。
【００２１】
図13・図14は、第３の実施の形態を示す。表示片部４の下辺22に下壁片部23が突設されている。下壁片部23はハンガーＹ（図１参照）のフックＨへの揺動規制用小凹部24を有する。具体的には、下壁片部23の形状が、扇形Ｖ2 に表示片部４の下辺22から成る弦Ｇ2 を張り、扇形Ｖ2 の円弧Ｅ2 と弦Ｇ2 によって囲まれた部分Ｂ2 を切除するとともに、扇形Ｖ2 の中心角θ2 を形成する頂点部Ｑ2 に揺動規制用小凹部24を凹設した形状と略等しい。表示片部４の枚数をＮ枚とすると、中心角θ2 は 360°／Ｎ≦θ2 ≦ 400°／Ｎに設定されている。
【００２２】
中心角θ2 が、θ2 ＜ 360°／Ｎの場合、ハンガーＹのフックＨに取付けた状態に於て、雄係止部２と雌係止部３の係合部分が大きくなり、外観が悪くなる虞れがある。また、上記係合部分の方向からは、サイズ表示部１を読取りにくくなる虞れがある。また、中心角θ2 が、 400°／Ｎ＜θ2 の場合、ハンガーＹのフックＨに取付けた状態に於て、隣合う下壁片部23の間に大きな隙間が形成されるとともに、全ての揺動規制用小凹部24によって形成されるフック挿通部が大きくなり、サイズ表示具が揺動しやすくなる虞れがある。
【００２３】
図15は、第４の実施の形態を示す。下壁片部23が表示片部４の下辺22を底辺Ｌ2 とする略二等辺三角形Ｊ2 に形成されている。そして、二等辺三角形Ｊ2 の２本の斜辺Ｍ2 によって形成される頂点部Ｐ2 に揺動規制用小凹部24が凹設されている。表示片部４の枚数をＮ枚とすると、二等辺三角形Ｊ2 の頂角α2 が 360°／Ｎ≦α2 ≦ 400°／Ｎに設定されている。
【００２４】
頂角α2 が、α2 ＜ 360°／Ｎの場合、ハンガーＹのフックＨに取付けた状態に於て、雄係止部２と雌係止部３の係合部分が大きくなり、外観が悪くなる虞れがある。また、上記係合部分の方向からは、サイズ表示部１を読取りにくくなる虞れがある。また、頂角α2 が、 400°／Ｎ＜α2 の場合、ハンガーＹのフックＨに取付けた状態に於て、隣合う下壁片部23の間に大きな隙間が形成されるとともに、全ての揺動規制用小凹部24によって形成されるフック挿通部が大きくなり、サイズ表示具が揺動しやすくなる虞れがある。
【００２５】
次に、上述のハンガー用サイズ表示具の製法について説明する。まず、図11に示すように、３枚以上の表示片部４がヒンジ部５を介して細長矩形型に連設され、一端６側の表示片部４が雄係止部２を有するとともに、他端７側の表示片部４が雌係止部３を有し、表示片部４が外面８に平坦面９を有する製品部19を、シート状に複数個配設した中間製品体20を、射出成形にて製造する。次に、図12に示すように、中間製品体20の製品部19の平坦面９にサイズ表示部１を印刷（例えば、シルクスクリーン印刷）する。その後、各製品部19をトムソン刃等にて切離す。
【００２６】
なお、本発明は、設計変更可能であって、例えば、雄係止部２と雌係止部３の係合状態から雄係止部２を下方向にスライドさせて、雄係止部２を雌係止部３から離脱させる構造とするも良い。また、サイズ表示部１は、文字・図形・記号・絵等のいずれか又は複数の組合せから成るも良い。また、表示片部の枚数Ｎは、３枚に限定されず、例えば、４枚や５枚等であっても良い。
【００２７】
以上のように、本発明は、３枚以上の表示片部４がヒンジ部５を介して細長矩形型に連設され、一端６側の表示片部４が雄係止部２を有するとともに、他端７側の表示片部４が雄係止部２と係脱自在な雌係止部３を有し、表示片部４が外面８に平坦面９を有し、平坦面９にサイズ表示部１が印刷されているので、容易にサイズ表示部１を印刷することができる。
【００２８】
また、雄係止部２が肉厚部10を有し、雌係止部３が肉厚部10に対応する位置に、雌係止部３の孔12の内方へ突出する突出片14を有し、肉厚部10と突出片14を弾発的に係止可能とするとともに、雌係止部３の孔12は、突出片14に隣接する幅広孔部15を有し、雄係止部２の肉厚部10を雌係止部３の幅広孔部15にスライドさせて雌係止部３から離脱可能に構成したので、容易に雄係止部２と雌係止部３を係脱させることができる。
【００２９】
また、雄係止部２が上下に隣合う肉厚部10と肉薄部11を有し、雌係止部３が、肉厚部10に対応する位置に、雌係止部３の孔12の内方へ突出するとともに幅狭孔部13を形成する突出片14を有し、かつ、肉薄部11に対応する位置に幅広孔部15を有し、肉厚部10と突出片14が弾発的に係止可能となるように肉厚部10の厚さ寸法ｔを幅狭孔部13の孔幅ｗよりも大きく設定し、雄係止部２と雌係止部３との係合状態に於て、雄係止部２が上下方向にスライド可能となるような逃げ用孔部21を雄係止部２と雌係止部３の間に形成し、雄係止部２の肉厚部10が雌係止部３の幅広孔部15に対応するとともに、雄係止部２の肉薄部11が雌係止部３の幅狭孔部13と対応するように、雄係止部２を係合状態から上下方向にスライドさせて雌係止部３から離脱可能となるように、構成したので、容易に雄係止部２と雌係止部３を係脱させることができる。
【００３０】
また、表示片部４の上辺16に上壁片部17が突設され、上壁片部17がハンガーＹのフックＨへの揺動規制用小凹部18を有するので、ハンガーＹのフックＨに取付けた時に、揺動するのを防止することができる。
【００３１】
また、上壁片部17の形状が、扇形Ｖ1 に表示片部４の上辺16から成る弦Ｇ1 を張り、扇形Ｖ1 の円弧Ｅ1 と弦Ｇ1 によって囲まれた部分Ｂ1 を切除するとともに、扇形Ｖ1 の中心角θ1 を形成する頂点部Ｑ1 に揺動規制用小凹部18を凹設した形状と略等しく、表示片部４の枚数をＮ枚とすると、中心角θ1 を 360°／Ｎ≦θ1 ≦ 400°／Ｎに設定したので、雄係止部２と雌係止部３の係合部分が小さくなり、外観が良い。また、係合部分の方向からも、サイズ表示部１を容易に読み取ることができる。さらに、サイズ表示具の揺動を適切に規制することができる。
【００３２】
また、上壁片部17が表示片部４の上辺16を底辺Ｌ1 とする略二等辺三角形Ｊ1 に形成されており、二等辺三角形Ｊ1 の２本の斜辺Ｍ1 によって形成される頂点部Ｐ1 に揺動規制用小凹部18が凹設されており、表示片部４の枚数をＮ枚とすると、二等辺三角形Ｊ1 の頂角α1 を 360°／Ｎ≦α1 ≦ 400°／Ｎに設定したので、雄係止部２と雌係止部３の係合部分が小さくなり、外観が良い。また、係合部分の方向からも、サイズ表示部１を容易に読み取ることができる。さらに、サイズ表示具の揺動を適切に規制することができる。
【００３３】
また、表示片部４の上辺16に上壁片部17が突設され、上壁片部17がハンガーＹのフックＨへの揺動規制用小凹部18を有し、表示片部４の下辺22に下壁片部23が突設され、下壁片部23がハンガーＹのフックＨへの揺動規制用小凹部24を有するので、ハンガーＹのフックＨに取付けた時に、揺動するのをより確実に防止することができる。
【００３４】
また、上壁片部17の形状が、扇形Ｖ1 に表示片部４の上辺16から成る弦Ｇ1 を張り、扇形Ｖ1 の円弧Ｅ1 と弦Ｇ1 によって囲まれた部分Ｂ1 を切除するとともに、扇形Ｖ1 の中心角θ1 を形成する頂点部Ｑ1 に揺動規制用小凹部18を凹設した形状と略等しく、表示片部４の枚数をＮ枚とすると、中心角θ1 を 360°／Ｎ≦θ1 ≦ 400°／Ｎに設定し、下壁片部23の形状が、扇形Ｖ2 に表示片部４の下辺22から成る弦Ｇ2 を張り、扇形Ｖ2 の円弧Ｅ2 と弦Ｇ2 によって囲まれた部分Ｂ2 を切除するとともに、扇形Ｖ2 の中心角θ2 を形成する頂点部Ｑ2 に揺動規制用小凹部24を凹設した形状と略等しく、表示片部４の枚数をＮ枚とすると、中心角θ2 を 360°／Ｎ≦θ2 ≦ 400°／Ｎに設定したので、雄係止部２と雌係止部３の係合部分が小さくなり、外観が良い。また、係合部分の方向からも、サイズ表示部１を容易に読み取ることができる。さらに、サイズ表示具の揺動をより適切に規制することができる。
【００３５】
また、上壁片部17が表示片部４の上辺16を底辺Ｌ1 とする略二等辺三角形Ｊ1 に形成されており、二等辺三角形Ｊ1 の２本の斜辺Ｍ1 によって形成される頂点部Ｐ1 に揺動規制用小凹部18が凹設されており、表示片部４の枚数をＮ枚とすると、二等辺三角形Ｊ1 の頂角α1 を 360°／Ｎ≦α1 ≦ 400°／Ｎに設定し、下壁片部23が表示片部４の下辺22を底辺Ｌ2 とする略二等辺三角形Ｊ2 に形成されており、二等辺三角形Ｊ2 の２本の斜辺Ｍ2 によって形成される頂点部Ｐ2 に揺動規制用小凹部24が凹設されており、表示片部４の枚数をＮ枚とすると、二等辺三角形Ｊ2 の頂角α2 を 360°／Ｎ≦α2 ≦ 400°／Ｎに設定したので、雄係止部２と雌係止部３の係合部分が小さくなり、外観が良い。また、係合部分の方向からも、サイズ表示部１を容易に読み取ることができる。さらに、サイズ表示具の揺動をより適切に規制することができる。
【００３６】
また、３枚以上の表示片部４がヒンジ部５を介して細長矩形型に連設され、一端６側の表示片部４が雄係止部２を有するとともに、他端７側の表示片部４が雌係止部３を有し、表示片部４が外面８に平坦面９を有する製品部19を、シート状に複数個配設した中間製品体20を、射出成形にて製造し、次に、平坦面９にサイズ表示部１を印刷し、その後、各製品部19を切離したので、平坦面９に容易にサイズ表示部１を印刷することができる。また、一度に複数の製品部19に印刷することにより、能率良くハンガー用サイズ表示具を製造することができる。
【図面の簡単な説明】
【００３７】
【図１】第１の実施の形態の使用状態を示す正面図である。
【図２】図１のＡ−Ａ断面平面図である。
【図３】要部断面平面図である。
【図４】正面図である。
【図５】平面図である。
【図６】背面図である。
【図７】図２をＸ方向から見た矢視図である。
【図８】図８の要部拡大図である。
【図９】図８の要部拡大図である。
【図１０】第２の実施の形態を示す平面図である。
【図１１】中間製品体を示す平面図である。
【図１２】平面図である。
【図１３】第３の実施の形態を示す正面図である。
【図１４】底面図である。
【図１５】第４の実施の形態を示す底面図である。
【符号の説明】
【００３８】
１  サイズ表示具
２  雄係止部
３  雌係止部
４  表示片部
５  ヒンジ部
６  一端
７  他端
８  外面
９  平坦面
10  肉厚部
11  肉薄部
12  孔
13  幅狭孔部
14  突出片
15  幅広孔部
16  上辺
17  上壁片部
18  揺動規制用小凹部
19  製品部
20  中間製品体
21  逃げ用孔部
22  下辺
23  下壁片部
24  揺動規制用小凹部
Ｂ1 部分
Ｂ2 部分
Ｅ1 円弧
Ｅ2 円弧
Ｇ1 弦
Ｇ2 弦
Ｈ  フック
Ｊ1 二等辺三角形
Ｊ2 二等辺三角形
Ｌ1 底辺
Ｌ2 底辺
Ｍ1 斜辺
Ｍ2 斜辺
Ｎ  枚数
Ｐ1 頂点部
Ｐ2 頂点部
Ｑ1 頂点部
Ｑ2 頂点部
ｔ  厚さ寸法
Ｖ1 扇形
Ｖ2 扇形
ｗ  孔幅
Ｙ  ハンガー
α1 頂角
α2 頂角
θ1 中心角
θ2 中心角
【図１】
2006330096.tif 000003
【図２】
2006330096.tif 000004
【図３】
2006330096.tif 000005
【図４】
2006330096.tif 000006
【図５】
2006330096.tif 000007
【図６】
2006330096.tif 000008
【図７】
2006330096.tif 000009
【図８】
2006330096.tif 000010
【図９】
2006330096.tif 000011
【図１０】
2006330096.tif 000012
【図１１】
2006330096.tif 000013
【図１２】
2006330096.tif 000014
【図１３】
2006330096.tif 000015
【図１４】
2006330096.tif 000016
【図１５】
2006330096.tif 000017